(57)【要約】 【課題】  従来の回転コネクタは、可撓性ケーブルを巻き締め及び巻き戻し可能になるように収容するスペースが必要であり、携帯電話機のような小さい機器には使用できなかった。【解決手段】  側面が円筒状である同心の複数の穴５Ｃが設けられた第１部材５と、この穴５Ｃに回転可能に嵌め込まれる突起６Ｃが設けられた第２部材６と、穴５Ｃの側面に設けられた深さ方向に複数の第１部材側接続端子５Ｄと、この第１部材側接続端子５Ｄと接触するように突起６Ｃに設けられた第２部材側接続端子６Ｄとを備えた。【選択図】        図６
2005327563.tif 000002
【特許請求の範囲】
【請求項１】
側面が円筒状である穴が設けられた第１部材と、前記穴に回転可能に嵌め込まれる突起が設けられた第２部材と、前記穴の側面に設けられた深さ方向に複数の第１部材側接続端子と、前記第１部材側接続端子と接触するように前記突起に設けられた第２部材側接続端子とを備えたことを特徴とする回転コネクタ。
【請求項２】
側面が円筒状である同心の複数の穴が設けられた第１部材と、前記各穴に回転可能に嵌め込まれる複数の突起が設けられた第２部材と、前記穴の側面に設けられた第１部材側接続端子と、前記第１部材側接続端子と接触するように前記突起に設けられた第２部材側接続端子とを備えたことを特徴とする回転コネクタ。
【請求項３】
突起と側面が円筒状である穴とが設けられた第１部材と、該第１部材の前記穴に回転可能に嵌め込まれる突起と前記第１部材の前記突起が回転可能に嵌め込まれる側面が円筒状の穴とが設けられた第２部材と、前記第１部材の前記穴の側面及び前記突起に設けられた第１部材側接続端子と、該第１部材側接続端子と接触するように前記第２部材の前記穴の側面及び前記突起に設けられた第２部材側接続端子とを備えたことを特徴とする回転コネクタ。
【請求項４】
前記第１部材に設けられた穴の底面に他の第１部材側接続端子を設け、前記第２部材の前記第１部材に設けられた穴の底面に対向する面に、前記他の第１部材側接続端子と接触するように他の第２部材側接続端子を設けたことを特徴とする請求項１〜請求項３の何れかに記載の回転コネクタ。
【請求項５】
前記第１部材の穴がない部分に他の第１部材側接続端子を設け、前記第２部材の前記第１部材の穴がない部分と対向する部分に、前記他の第１部材側接続端子と接触するように他の第２部材側接続端子を設けたことを特徴とする請求項１〜請求項３の何れかに記載の回転コネクタ。
【請求項６】
前記突起を導体製とし、前記第２部材側接続端子を兼ねるように構成したことを特徴とする請求項１〜請求項３の何れかに記載の回転コネクタ。
【請求項７】
前記突起を環状または円筒状とすることを特徴とする請求項１〜請求項３の何れかに記載の回転コネクタ。
【請求項８】
前記突起が円周方向に所定個数に分割して設けられていることを特徴とする請求項１〜請求項３の何れかに記載の回転コネクタ。
【請求項９】
前記第１部材と前記第２部材とが分離することを防ぐ分離防止機構を備えることを特徴とする請求項１〜請求項３の何れかに記載の回転コネクタ。
【発明の詳細な説明】
【技術分野】
【０００１】
この発明は、回転する２部材間で電力や信号などを伝える導線を接続する回転コネクタに関するものである。
【背景技術】
【０００２】
従来の回転コネクタは、自動車などのステアリング装置に組み込まれて、ステアリングホイール（ハンドル）に装着されたステアリングヒータ回路、エアバッグ回路、ホーン回路やその他のスイッチ回路の電気的接続手段として用いられるものであった。従来の回転コネクタは、同心状に配置されかつ相対的に回動自在に連結された一対の固定ハウジング側及び可動ハウジング側と、これらの一対の固定ハウジング側及び可動ハウジング側の間に形成される環状のケーブル収納部としての空間内に巻き締め、及び巻き戻し可能に収納された可撓性ケーブルと、可撓性ケーブルの両端部に接続された各１個の接続端子とから構成される。（例えば、特許文献１〜３を参照）
このように構成された回転コネクタは、固定側ハウジングを車体に、可動側ハウジングをハンドルに固定するとともに、可撓性ケーブルの両端を固定側と可動側の接続端子を介して車体やハンドル側のそれぞれの電気装置に接続することにより、ステアリングヒータ回路、エアバッグ回路、ホーン回路やその他のスイッチ回路の電気的接続手段として使用される。すなわち、可撓性ケーブルの複数本の各導体内をそれぞれ所定の電流が流れることによって、電気的接続手段として機能している。
【０００３】
【特許文献１】特開２００２−２１６９２３号公報。
【特許文献２】特開２０００−２９４３５７号公報。
【特許文献３】特開２０００−１５００９８号公報。
【発明の開示】
【発明が解決しようとする課題】
【０００４】
画像表示部分と操作部分を回転可能とする回転型携帯電話機が、２００３年春頃から販売されている。従来の回転コネクタでは携帯電話機に使用できるほどの小型化が困難なため、回転型携帯電話機では、回転コネクタではなく十分な長さの可撓性ケーブルによるコネクタを使用している。回転コネクタを使用していないため回転時にはコネクタ部に応力がかかり、この応力によりコネクタ部が破損しないように回転角度に制約を持たせている。回転型携帯電話機では、閉じた状態からは反時計回りに１８０度だけ回転するようにしている。画像表示部に操作部分が隠れた状態と、操作部分が画像表示部から出た状態との両方の状態で、携帯電話機を使用できる。しかし、閉じた状態からは反時計回りにしか回転しないため、左手だけで回転させて開くことは難しく、左利きの人には使いにくい。なお、閉じた状態から時計回りに回転するようにすれば、左利きの人には使いやすいが、右利きの人に使いにくくなる。回転コネクタを使用していない回転型携帯電話機では、回転角度を一方向に１８０度までと制約しなければならないので、利き腕によらずどのような人にも使いやすい回転型携帯電話機は製作が困難である。
【０００５】
携帯電話機の場合は小型化が特に重要であり、画像表示部分と操作部分の間の多くの導線を小さいサイズで回転可能に接続する回転コネクタが望まれている。従来の回転コネクタでは、可撓性ケーブルを有するために小型化に限界があり、携帯電話機などのように小さい機器には適用が困難であるという課題があった。従来の回転コネクタでは、可撓性ケーブルを巻き締め及び巻き戻し可能になるように収容するには、平面的にスペースが必要である。また、可撓性ケーブルでは導線を１列に配置するため、導線の数が多くなると回転コネクタが厚くなる。
【課題を解決するための手段】
【０００６】
この発明に係る回転コネクタは、側面が円筒状である穴が設けられた第１部材と、前記穴に回転可能に嵌め込まれる突起が設けられた第２部材と、前記穴の側面に設けられた深さ方向に複数の第１部材側接続端子と、前記第１部材側接続端子と接触するように前記突起に設けられた第２部材側接続端子とを備えたことを特徴とするものである。
【０００７】
また、側面が円筒状である同心の複数の穴が設けられた第１部材と、前記各穴に回転可能に嵌め込まれる複数の突起が設けられた第２部材と、前記穴の側面に設けられた第１部材側接続端子と、前記第１部材側接続端子と接触するように前記突起に設けられた第２部材側接続端子とを備えたことを特徴とするものである。
【０００８】
さらに、突起と側面が円筒状である穴とが設けられた第１部材と、該第１部材の前記穴に回転可能に嵌め込まれる突起と前記第１部材の前記突起が回転可能に嵌め込まれる側面が円筒状の穴とが設けられた第２部材と、前記第１部材の前記穴の側面及び前記突起に設けられた第１部材側接続端子と、該第１部材側接続端子と接触するように前記第２部材の前記穴の側面及び前記突起に設けられた第２部材側接続端子とを備えたことを特徴とするものである。
【発明の効果】
【０００９】
この発明に係る回転コネクタは、側面が円筒状である穴が設けられた第１部材と、前記穴に回転可能に嵌め込まれる突起が設けられた第２部材と、前記穴の側面に設けられた深さ方向に複数の第１部材側接続端子と、前記第１部材側接続端子と接触するように前記突起に設けられた第２部材側接続端子とを備えたことを特徴とするものなので、小型化できるという効果が有る。
【００１０】
また、側面が円筒状である同心の複数の穴が設けられた第１部材と、前記各穴に回転可能に嵌め込まれる複数の突起が設けられた第２部材と、前記穴の側面に設けられた第１部材側接続端子と、前記第１部材側接続端子と接触するように前記突起に設けられた第２部材側接続端子とを備えたことを特徴とするものなので、小型化できるという効果が有る
【００１１】
さらに、突起と側面が円筒状である穴とが設けられた第１部材と、該第１部材の前記穴に回転可能に嵌め込まれる突起と前記第１部材の前記突起が回転可能に嵌め込まれる側面が円筒状の穴とが設けられた第２部材と、前記第１部材の前記穴の側面及び前記突起に設けられた第１部材側接続端子と、該第１部材側接続端子と接触するように前記第２部材の前記穴の側面及び前記突起に設けられた第２部材側接続端子とを備えたことを特徴とするものなので、小型化できるという効果が有る。
【発明を実施するための最良の形態】
【００１２】
実施の形態１．
本明細書では、この発明に係る回転コネクタを携帯電話機に適用した場合で実施の形態を説明する。図１に、この発明に係る回転コネクタを適用する携帯電話機の平面図を示す。携帯電話機は、画像表示部１と操作部２とから構成される。図１(a)に操作部２を画像表示部１の下に収納した状態を示し、図１(b)に画像表示部１を開いた状態を示し、図１(c)に回転途中の状態を示す。図１(a)〜(c)のどの状態でも電話で話したり付属のデジタルカメラにより撮影したりできる。電話をかけたり画面に必要な情報を表示させたりするために、操作部２のボタンなどを操作する場合は、図１(b)の状態で使用する。
【００１３】
図２に、一部を破断した携帯電話機の平面図を示す。図２から分かるように、画像表示部１と操作部２との接合部分には、回転コネクタ３が有る。回転コネクタ３の斜視図を図３に示す。回転コネクタ３は、図１(a)〜(c)のどの状態でも、時計回りと反時計回りの両方向へ回転角度の制約なしに回転可能とするものである。
回転コネクタ３の上面には所定個（この実施の形態１では１９個）のコネクタ穴４Ａが有る。図２などでは見えないが、回転コネクタ３の下面にも同じ数のコネクタ穴４Ｂが有る。回転コネクタ３の上面のコネクタ穴４Ａと下面のコネクタ穴４Ｂは、回転コネクタ３の内部で１対１につなぐように配線されている。上面のコネクタ穴４Ａと下面のコネクタ穴４Ｂには、それぞれ接続すべき部品への導線が接続される。
【００１４】
回転コネクタ３は、第１部材である下部ケース５と第２部材である上部ケース６とから構成される。下部ケース５と上部ケース６の外形はどちらも高さが低い円柱状である。下部ケース５の斜視図を、図４に示す。上部ケース６を斜め下から見た斜視図を、図５に示す。図３のＡ−Ａ断面における回転コネクタ３の断面図を、図６に示す。
図６に示すように下部ケース５は、円筒状の絶縁体製の下部ケース本体部５Ａと、下部ケース本体部５Ａの下面に取り付けられる絶縁体製の円形の板である下部ケース蓋５Ｂとから構成する。下部ケース本体部５Ａは、操作ボタンなどが有る面の部材である操作部２の構造部材２Ａと一体成形する。下部ケース本体部５Ａの下面側から下部ケース蓋５Ｂを取り付けると、下部ケース５になる。下部ケース５の下面にあるコネクタ穴４Ｂに所定の導線を接続し、操作部２の裏面に外装部品を取り付けて、操作部２が完成する。なお、操作部２の構造部材２Ａと下部ケース本体部５Ａを一体成形しないで、下部ケース５をネジや接着剤などにより構造部材２Ａに固定してもよい。
下部ケース本体部５Ａを下面の側から見た平面図を図７に示す。図７には、図３のＡ−Ａ断面の位置も合わせて示す。また、下部ケース蓋５Ｂを上面の側から見た平面図を、図８に示す。
【００１５】
図４に示すように、下部ケース本体部５Ａの上面には、所定数（この実施の形態１では３個）の同心の環状の溝５Ｃと、中央に１個の接続端子５Ｄが有る。溝５Ｃが、側面が円筒状の穴である。図６から分かるように、溝５Ｃの両側の側面には、深さ方向に所定数（この実施の形態１では３個）の環状の第１部材側接続端子である接続端子５Ｄが有る。接続端子５Ｄは、接着剤などにより所定の位置に固定する。また、接続端子５Ｄが所定の位置から移動しないように、下部ケース本体部５Ａなどに凹凸をつけてもよい。溝５Ｃの間にある山部の内部には、図６と図７に示すように、下部ケース本体部５Ａの下面側の空間につながる４個のドーナツ状の下面溝５Ｅが有る。図３と図６から分かるように、Ａ−Ａ断面には、最も外側の溝５Ｃへ抜ける２個の貫通穴５Ｋが有る。このため、図７において最も外側の下面溝５Ｅは、貫通穴５Ｋが有る位置で途切れて見える。なお、図６に示すように、最も外側の下面溝５Ｅは貫通穴５Ｋよりも上の部分ではつながっている。
【００１６】
図６から分かるように、下部ケース本体部５Ａの下面側には溝５Ｃの裏側の位置に接続端子５Ｇが有り、接続線５Ｆにより接続端子５Ｄと接続される。図７では、下面溝５Ｅの間に、６０度ごとの位置に６個の接続端子５Ｇが有り、接続端子５Ｇから交互に外側と内側の下面溝５Ｅに向けて３個ずつの接続線５Ｆが有る。同一円周上に有る接続端子５Ｇを、接続端子５Ｇの列と呼ぶことにする。隣接する接続端子５Ｇの列では、接続端子５Ｇが円周方向に互いに中間の位置になるように配置する。接続端子５Ｇ以外でも、同一円周上に有る接続端子を、接続端子の列と呼ぶことにする。
【００１７】
接続端子５Ｇの近くには、溝５Ｃから下面溝５Ｅに抜ける貫通穴５Ｈが有る。この貫通穴５Ｈを接続線５Ｆが通って、接続線５Ｆにより環状の接続端子５Ｄと接続端子５Ｇとを接続する。図７のＡ−Ａ断面の位置には、４組の接続線５Ｆと接続端子５Ｇが有る。そのため、図６の断面図でも、貫通穴５Ｈと接続線５Ｆは４組有る。これらの４組の貫通穴５Ｈと接続線５Ｆは、すべて最も浅い位置に有る接続端子５Ｄと接続するためのものである。図６の断面図では、左から最大径の溝５Ｃの外側面に有る接続端子５Ｄへのもの、最小径の溝５Ｃの外側面に有る接続端子５Ｄへのもの、最小径の溝５Ｃの内側面に有る接続端子５Ｄへのもの、最小径の溝５Ｃの内側面に有る接続端子５Ｄへのものという、４組が有る。
【００１８】
図６から分かるように、最大径の溝５Ｃの最下部には、円周方向に３６０度にわたって所定の深さの横溝５Ｊが有る。また、下部ケース本体部５Ａの外側の互いに１８０度の位置に有る２箇所に、細い針が通る程度の径の横溝５Ｊまで到達する貫通穴５Ｋを設ける。
【００１９】
下部ケース蓋５Ｂの下面にはコネクタ穴４Ｂが有る。図８から分かるように、コネクタ穴４Ｂと、下部ケース蓋５Ｂの上面の接続端子５Ｌとの間は、接続線５Ｍにより接続する。下部ケース蓋５Ｂに有る接続端子５Ｌが下部ケース本体部５Ａの対応する接続端子５Ｇと接触するように、下部ケース蓋５Ｂは下部ケース本体部５Ａにネジなどにより固定する。接続端子５Ｌすなわち接続端子５Ｇの配置は、コネクタ穴４Ｂとの間の接続線５Ｍが短くなり、接続線５Ｍが交錯することが無いようにしている。なお、接続線５Ｍが長くなるような配置でもよい。
図７に示す下部ケース本体部５Ａで、外側から２個目と３個目の下面溝５Ｅの間には、左上と右下に、下部ケース蓋５Ｂをネジ止めするための穴が有る。図８に示す下部ケース蓋５Ｂでも、対応する位置にネジ止めするための穴が有る。なお、図７と図８は、互いに接合する面を接合する前に反対方向から見たものなので、ネジ止めするための穴は上下に対称の位置に有る。
【００２０】
接続線５Ｆや接続線５Ｍは絶縁皮膜を付加した銅などの導体線などでもよいし、プリントなどにより下部ケース本体部５Ａに付加してもよい。絶縁皮膜導体線の場合は、接続端子５Ｇと接続端子５Ｌと接続線５Ｍを省略して、接続線５Ｆをコネクタ穴４Ｂに接続してもよい。接続端子５Ｇだけを省略して、接続線５Ｆを接続端子５Ｌに接続してもよい。絶縁皮膜導体線による接続線５Ｆは、その両端の端子にハンダ付けなどにより固定する。これらの点は、上部ケース６での接続線にもあてはまる。
【００２１】
図６に示すように、上部ケース６は、上部ケース本体部６Ａと、上部ケース本体部６Ａの上面側に取り付けられる円形の上部ケース蓋６Ｂとから構成する。上部ケース本体部６Ａは、画像表示部１の構造部材１Ａと一体成形する。なお、上部ケース本体部６Ａを構造部材１Ａと一体成形しないで、上部ケース６をネジや接着剤などにより、構造部材１Ａに固定してもよい。
上部ケース本体部６Ａの平面図を、図９に示す。図９には、図３のＡ−Ａ断面の位置も合わせて示す。
上部ケース６と画像表示部１は、下部ケース５と操作部２と同様に組立てる。具体的には、上部ケース本体部６Ａに上部ケース蓋６Ｂを固定し、上部ケース６の上面のコネクタ穴４Ａに導線を接続し、画像表示部１の外装部品を取り付ける。
図５から分かるように、上部ケース本体部６Ａの下部ケース５側には、同心の環状の突起である接続フレーム６Ｃが溝５Ｃと同じ数だけ有る。接続フレーム６Ｃの径と幅は、それぞれが対応する溝５Ｃに嵌め込むことができる大きさとする。
【００２２】
図６から分かるように、接続フレーム６Ｃの内側と外側の側面には、環状の導体製の第２部材側接続端子である接続端子６Ｄが、高さ方向に溝５Ｃに有る接続端子５Ｄと同じ数だけ有る。接続端子６Ｄは対応する位置に有る接続端子５Ｄとだけ接触し、対応しない接続端子５Ｄとは接触しないような幅としておく。また、上部ケース本体部６Ａの下面の中央には１個の接続端子６Ｄが有る。この接続端子６Ｄも、対応する位置に有る接続端子５Ｄとだけ接触する。接続端子６Ｄは、接着剤などにより所定の位置に固定する。また、接続端子６Ｄが所定の位置から移動しないように、上部ケース本体部６Ａなどに凹凸をつけてもよい。
接続フレーム６Ｃの内部には、上部ケース本体部６Ａの上面側の空間に連なる上面溝６Ｅが有る。
【００２３】
接続端子５Ｄと同様に接続端子６Ｄは、接続線６Ｆにより上部ケース本体部６Ａの上面側に有る接続端子６Ｇに接続される。図９に示すように、接続端子６Ｇは上面溝６Ｅに隣接した位置に有る。接続線６Ｆと接続端子６Ｇは、接続端子６Ｄごとに接続フレーム６Ｃの円周方向の異なる位置に有る。ただし、下部ケース５の下面溝５Ｅが４個であるのに対して上面溝６Ｅは３個なので、接続線６Ｆと接続端子６Ｇの配置は、図７に示す接続線５Ｆと接続端子５Ｇの配置とは異なる。上面溝６Ｅからは片側に１２０度ごとに３個の接続線６Ｆが出て対応する接続端子６Ｇに接続する。両側に上面溝６Ｅがある接続端子６Ｇの列は、円周方向に６０度ごとに接続端子６Ｇが配置され、交互に外側と内側の上面溝６Ｅに向かう接続線６Ｆが有る。最も外側の列と最も内側の列では、１２０度ごとに接続端子６Ｇが有る。隣接する接続端子６Ｇの列では、接続端子６Ｇが円周方向に互いに中間の位置になるように配置する。
【００２４】
接続フレーム６Ｃの表面から裏面の上面溝６Ｅに抜ける貫通穴６Ｈが、接続端子６Ｇごとにその近くの所定の位置に有る。この貫通穴６Ｈを接続線６Ｆが通って、接続端子６Ｄと接続端子６Ｇとを接続する。図９のＡ−Ａ断面の位置には、３組の接続線６Ｆと接続端子６Ｇが有る。そのため、図６の断面図でも、貫通穴６Ｈと接続線６Ｆは３組有る。これらの３組の貫通穴６Ｈと接続線６Ｆは、すべて最も浅い位置に有る接続端子６Ｄと接続するためのものである。図６の断面図では、左から、最大径の接続フレーム６Ｃの外側面にある接続端子６Ｄへのもの、最小径の接続フレーム６Ｃの外側面にある接続端子６Ｄへのもの、中間径の接続フレーム６Ｃの内側面にある接続端子６Ｄへのものが有ることが分かる。
【００２５】
最大径の接続フレーム６Ｃの互いに１８０度の位置に有る２箇所の先端の外側には、分離防止用突起６Ｊが有る。分離防止用突起６Ｊを溝５Ｃから入れて横溝５Ｊに嵌め込むことができるように、分離防止用突起６Ｊの両側には所定の長さの切り込みが有る。最大径の接続フレーム６Ｃは、分離防止用突起６Ｊの分だけ、他の接続フレーム６Ｃよりも長い。下部ケース５と上部ケース６とを接合した状態では、分離防止用突起６Ｊが横溝５Ｊに入り、下部ケース５と上部ケース６とが分離しにくくなる。つまり、分離防止用突起６Ｊと横溝５Ｊが分離防止機構を構成する。
【００２６】
下部ケース５の貫通穴５Ｋの位置に分離防止用突起６Ｊが有る状態で、貫通穴５Ｋから細い金属の棒などを挿入して分離防止用突起６Ｊを内側に移動させることにより、下部ケース５と上部ケース６とを分離することも可能である。分離防止用突起６Ｊを内側に移動させるには、貫通穴５Ｋ以外の手段を使用するようにしてもよい。
【００２７】
上部ケース蓋６Ｂの上面にはコネクタ穴４Ａが有る。コネクタ穴４Ａは、上部ケース蓋６Ｂの裏面の接続端子６Ｇと対応する位置にある接続端子６Ｌと接続線６Ｍで接続される。上部ケース蓋６Ｂは、その接続端子６Ｌが上部ケース本体部６Ａに有る対応する接続端子６Ｇと接触するように、上部ケース本体部６Ａにネジなどにより固定する。なお、上部ケース６に有るコネクタ穴４Ａと下部ケース５に有るコネクタ穴４Ｂには、適切な時点で導線を接続する。
【００２８】
下部ケース５の溝５Ｃに上部ケース６の接続フレーム６Ｃを分離防止用突起６Ｊが横溝５Ｊに収容されるまで挿入して、下部ケース５と上部ケース６を接合する。下部ケース５と上部ケース６を接合した状態では、下部ケース５の１９個の接続端子５Ｄがそれぞれ対応する深さに有る上部ケース６の接続端子６Ｄと接触し、異なる深さに有る接続端子６Ｄとは接触しない。溝５Ｃに接続フレーム６Ｃを嵌め込んだ状態でも、上部ケース６と下部ケース５は相対的に回転可能である。ここで、相対的に回転するとは、相手との相対的位置が変化するように回転することである。
【００２９】
以上で、構造の説明を終了し、機能を説明する。接続端子５Ｄと接続端子６Ｄは環状なので、下部ケース５と上部ケース６とが相対的にどのように回転しても、対応する接続端子５Ｄと接続端子６Ｄは必ず接触する。そのため、下部ケース５と上部ケース６との回転方向と回転角度に関しては制約が全くない。
このため、例えば携帯電話機に適用した場合などには、以下の利点が有る。時計回りでも反時計回りのどちらに回転させても画像表示部１と操作部２とを開くことができ、右利きの人と左利きの人のどちらにとっても使いやすい。開いたものを閉じる場合も、どちら方向に回転させてもよく、回転させる上での操作制約がなく使いやすい。
【００３０】
この発明に係る回転コネクタ３は、可撓性ケーブルが不要であり、接続端子５Ｄと接続端子６Ｄのサイズは信号または電力を伝えることができるならば小さくてもよい。溝５Ｃの径は回転が可能で接続端子５Ｄと接続端子６Ｄとを接触させることができるならば小さくてもよい。溝５Ｃの間隔も、接続端子５Ｄと接続端子６Ｄなどを配置できることができれば短くてもよい。そのため、複数の導線の接続を行う上で、可撓性ケーブルを使用する場合よりも回転コネクタ３を小型化でき、携帯電話機のような小さい機器にも適用できる。
【００３１】
この実施の形態１では、携帯電話機に回転コネクタ３を適用した場合で説明したが、他の機器に適用してもよい。下部ケース５に溝５Ｃ（穴）を設け上部ケース６に接続フレーム６Ｃ（突起）を設けたが、上部ケース６に穴を設け下部ケース５に突起を設けるようにしてもよい。コネクタ穴４Ａとコネクタ穴４Ｂにそれぞれ１個の導線を接続するとしたが、どちらかまたは両方を、複数の導線をまとめて接続するようにしてもよい。
コネクタ穴４Ａを設けた上部ケース蓋６Ｂと、コネクタ穴４Ｂを設けた下部ケース蓋５Ｂのどちらかまたは両方は無くてもよい。上部ケース蓋６Ｂが無い場合には、上部ケース本体部６Ａの上面の接続端子６Ｌに導線をハンダ付けなどにより接続する。同様に、下部ケース蓋５Ｂが無い場合には、下部ケース本体部５Ａの下面の接続端子５Ｌに導線を接続する。
【００３２】
この実施の形態１では、１９個の導線を回転可能に接続するために、３個分の導線の厚さだけででき、可撓性ケーブルを使用する場合よりも厚さを薄くできるという効果が有る。溝５Ｃの数を多くすれば、同じ厚さでも多くの数の導線を接続できるという効果が有る。また、深さ方向の接続端子数を増加させれば、同じ断面積でも多くの導線を接続できる。
この実施の形態１は、同心の円筒状の側面を有する複数の穴を有し、かつ深さ方向に複数の第１接続端子を有する場合であるが、円筒状の側面を有する穴は１個だけでもよいし、深さ方向に１個の第１接続端子だけが有ってもよい。
【００３３】
この実施の形態１では、溝５Ｃの側面を完全な円筒状としたが、溝５Ｃの内部で接続フレーム６Ｃが回転可能であり、かつ円周方向に必要な長さで円筒状の側面の部分を有するものであれば、溝５Ｃの形状はどのようなものでもよい。
この実施の形態１では、接続端子５Ｄと接続端子６Ｄを環状の１個の導体としたが、どちらかまたは両方を円周方向に複数の導体に区分してもよい。円周方向に複数の導体に区分すると、環状の場合よりも接続端子５Ｄを溝５Ｃに、接続端子６Ｄを接続フレーム６Ｃにそれぞれ取り付けやすくなる。複数の導体に区分する場合は、下部ケース５と上部ケース６とが相対的にどのように回転しても、少なくとも１個の接続端子５Ｄの導体が少なくとも１個の接続端子６Ｄとが接触するようにする。
【００３４】
下部ケース５の中央に接続端子５Ｄを配置したが、溝５Ｃの底や溝５Ｃではない部分に接続端子５Ｄを設けてもよい。その場合には、上部ケース６には、溝５Ｃの底面に対向する面や溝５Ｃではない部分に対向する部分に、これらの接続端子５Ｄと接触するように接続端子６Ｄを設ける。こうすれば、同じ大きさの回転コネクタ３での接続可能な導線の数を多くすることができる。
上部ケース６での接続線６Ｆは、接続フレーム６Ｃの内部ではなく表面を通してもよい。また、接続フレーム６Ｃを表面に絶縁皮膜を付加した導体製として、所定の個所で絶縁皮膜を除くことにより、その個所が接続端子６Ｄとして機能するようにしてもよい。
【００３５】
分離防止用突起６Ｊと横溝５Ｊによる分離防止機構は、溝５Ｃの最深部に設けたが、溝５Ｃの最浅部に設けてもよい。接続端子５Ｄと接続端子６Ｄとは別の深さの位置に分離防止機構を設けたが、一部の接続端子５Ｄと接続端子６Ｄの替わりに分離防止機構を設けるようにしてもよい。一部の接続端子５Ｄと接続端子６Ｄの替わりに分離防止機構を設けると、回転コネクタ３の厚さを薄くできるという効果が有る。また、分離防止機構として、突起と横溝以外を使用してもよい。
【００３６】
この実施の形態１では、下部ケース５を第１部材とし上部ケース６を第２部材として説明したが、上部ケース６を第１部材と考え、下部ケース５を第２部材と考えることもできる。上部ケース６の最大径の接続フレーム６Ｃよりも内側の部分だけについて言えば、接続フレーム６Ｃの下面を基準にすると、上部ケース６が複数の同心の側面が円筒状の穴を有する第１部材である。同様に、下部ケース６において最大径の溝５Ｃに外側の側面がないものとして、溝５Ｃの底面を基準にして考えると、下部ケース６は２個の環状の突起と１個の円筒状の突起を有する第２部材である。このように、基準となる面の位置をどこと考えるかにより、穴か突起かの判断ひいては第１部材か第２部材かの判断が変化する。
複数の判断が可能な場合は、何れかの判断でこの発明に係る回転コネクタに該当する場合は、該当するものとする。
以上のことは、他の実施の形態でもあてはまる。
【００３７】
実施の形態２．
この実施の形態２は、続端子５Ｄと接続端子６Ｄとにより分離防止機構を構成するように実施の形態１を変更したものである。実施の形態２での回転コネクタ３の断面図を、図１０に示す。図１０に示すように、溝５Ｃの接続端子５Ｄが有る位置すべてに横溝５Ｊを設け、この横溝５Ｊの側面に接続端子５Ｄを設けている。そして、接続端子６Ｄを折返し付きの形状としている。実施の形態１であった貫通穴５Ｋと分離防止用突起６Ｊは存在しない。その他の構成は、実施の形態１と同じである。
【００３８】
この実施の形態２でも、実施の形態１と同様に、回転方向と回転角度に制約がない所定個の導線を接続する小型の回転コネクタ３を実現できる。また、この実施の形態２では、接続端子６Ｄが横溝５Ｊに入っているので、下部ケース５と上部ケース６とが分離しにくい。
実施の形態３．
この実施の形態３は、下部ケース５の最小径の溝５Ｃを円形の穴に変更するように実施の形態１を変更したものであり、下部ケース５の斜視図を図１１に、上部ケース６を下から見た斜視図を図１２に示す。この実施の形態３は、ドーナツ状の溝５Ｃも円形の穴５Ｎも円筒状の側面を有する穴であり、環状または円筒状の接続フレーム６Ｃが突起であることを示すための実施の形態である。
【００３９】
図４及び図５と対比すると、この実施の形態３の構造がよく理解できる。すなわち図４に示された下部ケース５の最小径の溝５Ｃが、実施の形態３の図１１では円形の穴５Ｎとなり、最小径の溝５Ｃの内側面にあった３個の接続端子５Ｄが、図１１ではなくなっている。また図５に示された上部ケース６の最小径の接続フレーム６Ｃが、図１２では環状ではなく円形になり、接続フレーム６Ｃが環状の場合にあった内側面の接続端子６Ｄが図１２ではなくなっている。さらに図４では下部ケース５の上面の中心に見えた接続端子５Ｄが図１１では見えなくなり、図１２では上部ケース６の下面の中心に接続端子６Ｄが見える。
【００４０】
この実施の形態３でも、実施の形態１と同様に、回転方向と回転角度に制約がない所定個の導線を接続する小型の回転コネクタ３を実現できる。
【００４１】
実施の形態４．
この実施の形態４は、以下の２点で実施の形態１を変更したものである。（１）上部ケース６での接続線６Ｆを接続フレーム６Ｃの表面を通し、接続線６Ｆが接続端子６Ｄを兼ねる。（２）回転コネクタ３の回転の中心で、ネジ７により上部ケース６を下部ケース５に回転可能に取り付ける。
この実施の形態４での下部ケース５の斜視図を、図１３に示す。上部ケース６を斜め下から見た斜視図を、図１４に示す。図３のＡ−Ａ断面における回転コネクタ３の断面図を、図１５に示す。
【００４２】
実施の形態１と相違する点だけを説明する。下部ケース５の下部ケース本体部５Ａの上面には、溝５Ｃの同心円の中心に回転軸となるネジ７を固定するネジ穴５Ｐが有る。下部ケース本体部５Ａには、横溝５Ｊと貫通穴５Ｋがない。横溝５Ｊがない分だけ、下部ケース５が薄くなる。
【００４３】
上部ケース６では、実施の形態１では環状であった接続フレーム６Ｃを、この接続フレーム６Ｃが嵌め込まれる溝５Ｃに設けられた接続端子５Ｄの数（この実施の形態４では６個）に分割している。どの接続フレーム６Ｃにも分離防止用突起６Ｊがない。この分割された接続フレーム６Ｃのうち、３個には外側の面に、残りの３個には内側の面に浅い接続線溝６Ｎが有る。接続線溝６Ｎは、接続線６Ｆを所定の位置に配置するためのものである。接続線溝６Ｎが外側の面に有る接続フレーム６Ｃと、内側の面に有る接続フレーム６Ｃとが交互になるように配置している。接続線溝６Ｎが有る位置での接続フレーム６Ｃが上部ケース本体部６Ａの上面と接続される部分には、接続線６Ｆを通すための貫通穴６Ｐが有る。図１５では分かりにくいが、上部ケース本体部６Ａの上面側にも接続線溝６Ｎが有る。接続線溝６Ｎに収容された接続線６Ｆは、上部ケース蓋６Ｂを上部ケース本体部６Ａに固定することにより、同時に固定する。
【００４４】
接続線６Ｆは適度な剛性を持った絶縁皮膜を付加した細い棒状の導体であり、一端に９０度に曲がった短い部分を持つ。図１５では区別して表現していないが、接続線６Ｆが接続対象の接続端子５Ｄと接触する部分でだけ絶縁皮膜を除いており、この絶縁皮膜がない部分が接続端子６Ｄに相当する。なお、接続線６Ｆの長さは、接続対象の接続端子５Ｄの深さ位置までの必要十分な長さとする。図１５で書いてある接続線６Ｆは最も浅い位置の接続端子５Ｄと接続するものなので、その接続端子５Ｄの最下端よりも僅かに長くなる。
上部ケース６の中央には、ネジ７を通す軸穴６Ｑが有る。ネジ７の頭の径は、軸穴６Ｑの径よりも大きい。
【００４５】
下部ケース５の溝５Ｃに上部ケース６の接続フレーム６Ｃを嵌め込み、ネジ７を軸穴６Ｑに通してネジ穴５Ｐに固定する。下部ケース５と上部ケース６の間で回転に対する適度な抵抗力が発生するように、ネジ７の頭が上部ケース６を下部ケース５に押し付けるようにネジ７を締める。
【００４６】
この実施の形態４でも、回転方向と回転角度に制約がない所定個の導線を接続する小型の回転コネクタ３を実現できるという効果が有る。
接続フレーム６Ｃを分割し、複数の接続フレーム６Ｃが同一の接続端子５Ｄと接触する接続端子６Ｄすなわち接続線６Ｆを持つようにしてもよい。複数の接続フレーム６Ｃの方が、接触不良が起きる確率を低減できる。接続フレーム６Ｃは環状の１個のままで、接続端子６Ｄすなわち接続線６Ｆだけを、複数にしてもよい。接続端子６Ｄの数は、１個の接続端子６Ｄに必要な大きさや、接続端子５Ｄの径や円周方向の長さなどの条件により決める。接続端子６Ｄの数を１個の溝５Ｃに設けられた接続端子５Ｄの数の整数倍にすれば、接続する接続端子６Ｄの数がすべての接続端子５Ｄで同じになる。
【００４７】
この実施の形態４では、上部ケース６の接続線６Ｆが接続フレーム６Ｃの表面を通り、接続フレーム６Ｃの内部に接続線６Ｆを通した実施の形態１よりも、上部ケース６の構造が簡単であるという効果が有る。
【００４８】
この実施の形態４のように、接続端子６Ｄの円周方向の長さが短い場合は、接続端子５Ｄを環状ではなく、２個の半円状に分割してそれぞれ別のコネクタ穴４Ｂと接続してもよい。その場合には、接続フレーム６Ｃの表裏に接続線６Ｆを配置する。こうすると、回転コネクタ３の回転可能な角度は１８０度弱に制限されるが、同じ大きさで２倍の導線を接続できるようになる。なお、接続端子５ＤをＮ個に分割すれば、回転可能な角度は３６０／Ｎ度弱になるが、Ｎ倍の導線を接続できる。
以上のことは、該当する構成要素を持つ他の実施の形態でもあてはまる。
【００４９】
実施の形態５．
この実施の形態５は、絶縁皮膜を付加した導体製の接続フレーム６Ｃが接続端子６Ｄ、接続線６Ｆ及び接続端子６Ｇを兼用するように、実施の形態４を変更したものである。導体製の接続フレーム６Ｃは、絶縁体製の上部ケース本体部６Ａとは別部品になる。
この実施の形態５での接続フレーム６Ｃを斜め下から見た斜視図を、図１６に示す。上部ケース６を斜め下から見た斜視図を、図１７に示す。接続フレーム６Ｃを装着した上部ケース本体部６Ａを上から見た平面図を図１８に示す。図３のＡ−Ａ断面における回転コネクタ３の断面図を、図１９に示す。なお、この実施の形態５での下部ケース５は、実施の形態４の場合と同じである。
【００５０】
実施の形態４と相違する点だけを説明する。上部ケース６は、上部ケース本体部６Ａ、上部ケース蓋６Ｂ及び接続フレーム６Ｃから構成する。接続フレーム６Ｃは、絶縁皮膜を付加した導体製である。接続フレーム６Ｃの形状は、図１６から分かるように、円筒を円周方向に約６分の１弱にしたフレーム本体部６Ｒと、フレーム本体部６Ｒの上端で外側に９０度の角度に折れ曲がった所定の幅の部分であるフレーム鍔部６Ｓとを有するものである。図１７では、接続フレーム６Ｃのフレーム本体部６Ｒの部分が見える。図１８では、接続フレーム６Ｃのフレーム鍔部６Ｓの部分が見える。
【００５１】
フレーム本体部６Ｒの側面の接続端子５Ｄと接触する部分は絶縁皮膜を除いてあり、この部分が接続端子６Ｄとして機能する。同様に、フレーム鍔部６Ｓの下面の接続端子６Ｌと接触する部分は絶縁皮膜を除いてあり、この部分が接続端子６Ｇとして機能する。図１９において、絶縁皮膜は接続フレーム６Ｃの外形線として表現している。図１７では、絶縁皮膜が無い部分は梨子地状に表現する。
【００５２】
図１９に示すように、上部ケース本体部６Ａは、高さが低い有底の円筒状の形状である。その底面には接続端子５Ｄと同数の接続フレーム６Ｃを挿入するためのフレーム穴６Ｔが有る。１個の溝５Ｃに対して、溝５Ｃの外側面に対応する円周に外側を合わせたフレーム穴６Ｔと溝５Ｃの内側面に対応する円周に内側を合わせたフレーム穴６Ｔとが、それぞれ３個ずつ有り、円周方向に交互に配置する。各フレーム穴６Ｔにそれぞれ１個の接続フレーム６Ｃを挿入して上面から上部ケース蓋６Ｂを固定すると、上部ケース６が構成できる。上部ケース６と下部ケース５は、実施の形態４の場合と同様にして接合する。
溝５Ｃの内側面と外側面に接触する接続フレーム６Ｃを交互に配置すると、接続端子５Ｄと接続端子６Ｄの間の接触圧力が回転角度に依存する可能性が小さくなるが、交互でなくてもよい。
【００５３】
図１７と図１８では、フレーム穴６Ｔから接続フレーム６Ｃが出ているのが見える。図１９では、貫通穴５Ｈと接続線５Ｆが書かれた接続端子５Ｄに接触する接続フレーム６Ｃとそのフレーム穴６Ｔを表示している。図１９では、溝５Ｃの外側の側面に有る接続端子５Ｄが、接続フレーム６Ｃで隠れない部分では見える。
【００５４】
この実施の形態５でも、回転方向と回転角度に制約がない所定個の導線を接続する小型の回転コネクタ３を実現できるという効果が有る。
さらに、この実施の形態５では、絶縁皮膜を付加した導体製の接続フレーム６Ｃを使用するので、接続線６Ｆを配線する手間が不要であり、上部ケース６を簡単に製作できるという効果が有る。
【００５５】
実施の形態６．
この実施の形態６は、絶縁皮膜を付加した導体を下部ケース５で使用するように実施の形態１を変更したものである。この実施の形態６での下部ケース５の斜視図を、図２０に示す。上部ケース６を斜め下から見た斜視図を、図２１に示す。図３のＡ−Ａ断面における回転コネクタ３の断面図を、図２２に示す。
この実施の形態６は、第１部材である下部ケース５が第１部材接続端子を設けた突起を有し、第２部材である上部ケース６が第１部材側接続端子と接触するように第２部材接続端子を設けた側面が円筒状である穴を有する場合を説明するための実施の形態である。
【００５６】
下部ケース５は、下部ケース本体部５Ａ、下部ケース蓋５Ｂ及び接続フレーム５Ｑから構成する。図２０から分かるように、接続フレーム５Ｑは、実施の形態５の接続フレーム６Ｃと同様に絶縁皮膜を付加した導体であり、形状も同様である。接続フレーム５Ｑは、円筒を円周方向に約６分の１弱にしたフレーム本体部５Ｒと、フレーム本体部５Ｒの下端で外側に９０度の角度に折れ曲がった所定の幅の部分であるフレーム鍔部５Ｓ（図示せず）とから構成される。フレーム本体部５Ｒの側面の接続端子６Ｄと接触する部分は絶縁皮膜を除いてあり、この部分が接続端子５Ｄとして機能する。同様に、フレーム鍔部５Ｓの上面の接続端子５Ｌと接触する部分は絶縁皮膜を除いてあり、この部分が接続端子５Ｇとして機能する。
【００５７】
下部ケース本体部５Ａは、接続フレーム５Ｑを収納する１個の大きな溝５Ｃを有する有底の外形が円筒状の形状である。なお、下部ケース本体部５Ａは溝５Ｃが有る面を上に向けた状態で使用する。下部ケース本体部５Ａの上面には、中央にネジ穴５Ｐが有り、穴の底には接続端子６Ｄと同数の接続フレーム５Ｃを挿入するためのフレーム穴５Ｔが有る。フレーム穴５Ｔは、実施の形態５のフレーム穴６Ｔとほぼ同様に配置する。フレーム穴５Ｔは、接続フレーム６Ｃの外側面に接触する接続フレーム５Ｑを挿入するための３個を、互いに約１２０度の角度の位置に配置する。同じ接続フレーム６Ｃの内側面に接触する接続フレーム５Ｑを挿入するための３個も、互いに約１２０度の角度であり、外側面のフレーム穴５Ｔと交互に配置する。
【００５８】
各フレーム穴５Ｔにそれぞれ１個の接続フレーム５Ｑを下から挿入して、下部ケース本体部５Ａの下面に下部ケース蓋５Ｂを固定すると、下部ケース５が構成できる。図２２では、接続フレーム５Ｑとフレーム穴５Ｔは、図６と同様に貫通穴６Ｈと接続線６Ｆが書かれた３個の接続端子６Ｄと接触するものが、この断面の位置に有る。
【００５９】
上部ケース６は、実施の形態１の場合とほぼ同様であるが、以下の点が異なる。分離防止用突起６Ｊが無く、同心となる接続フレーム６Ｃの中心位置に軸穴６Ｑが有る。
下部ケース５の接続フレーム５Ｃが上部ケース６の接続フレーム６Ｃと接触するように、下部ケース５と上部ケース６を接合する。そして、上部ケース６の軸穴６Ｑを通して、ネジ７を下部ケース５のネジ穴５Ｐに固定する。ネジ７は実施の形態４の場合と同様である。下部ケース５と上部ケース６の接合面で回転に対する適度な抵抗力が発生するように、ネジ７の頭が上部ケース６を下部ケース５に押し付けるようにネジ７を締める。
【００６０】
最外側及び最内側の列の接続フレーム５Ｑは背後に溝５Ｃの側面があり、それらの接続フレーム５Ｑにある接続端子５Ｄは、溝５Ｃに設けた第１部材側接続端子と考えることができる。最外側及び最内側以外の列の接続フレーム５Ｑは、第１部材側接続端子を設けた突起である。そして、上部ケース６の３個の接続フレーム６Ｃは、側面が円筒状の２個の穴を持った１個の大きな突起と考えることができる。最外側と最内側の側面の接続端子６Ｄが、この突起に設けられた第２部材側接続端子になる。最外側と最内側以外の側面の接続端子６Ｄが、側面が円筒状の穴の側面に設けられた第２部材側接続端子になる。
【００６１】
この実施の形態６でも、回転方向と回転角度に制約がない所定個の導線を接続する小型の回転コネクタ３を実現できるという効果が有る。
さらに、この実施の形態６では、絶縁皮膜を付加した導体製の接続フレーム５Ｑを使用するので、接続線５Ｆを配線する手間が不要であり、下部ケース５を簡単に製作できるという効果が有る。
【００６２】
接続フレーム６Ｃは、完全な環状でなくてもよく、分離した複数の部分が全体として環状になるようにしてもよい。接続フレーム６Ｃは接続フレーム５Ｑと接触して回転可能であり、かつ円周方向に接続端子５Ｄを設け得る必要な長さの円筒状の側面を有するものであれば、接続フレーム６Ｃの形状はどのようなものでもよい。
【００６３】
この実施の形態６では、突起に相当する接続フレーム５Ｑを有する溝５Ｃのだけであるが、突起に相当する接続フレーム５Ｑを有しない溝５Ｃが有ってもよい。接続フレーム６Ｃは、突起とも円筒状の側面を有する穴とも捉えることができるものであったが、実施の形態５における接続フレーム６Ｃのように突起としか認識できないものが有ってもよい。
【図面の簡単な説明】
【００６４】
【図１】この発明に係る回転コネクタを適用する携帯電話機の平面図である。
【図２】この発明に係る回転コネクタを適用する携帯電話機の一部を破断した平面図である。
【図３】この発明の実施の形態１での回転コネクタの斜視図である。
【図４】この発明の実施の形態１での下部ケースの斜視図である。
【図５】この発明の実施の形態１での上部ケースを斜め下から見た斜視図である。
【図６】この発明の実施の形態１での回転コネクタの断面図である。
【図７】この発明の実施の形態１で下部ケース本体部を下面の側から見た平面図である。
【図８】この発明の実施の形態１で下部ケース蓋を上面の側から見た平面図である。
【図９】この発明の実施の形態１で上部ケース本体部を上面の側から見た平面図である。
【図１０】この発明の実施の形態２での回転コネクタの断面図である。
【図１１】この発明の実施の形態３での下部ケースの斜視図である。
【図１２】この発明の実施の形態３での上部ケースを斜め下から見た斜視図である。
【図１３】この発明の実施の形態４での下部ケースの斜視図である。
【図１４】この発明の実施の形態４での上部ケースを斜め下から見た斜視図である。
【図１５】この発明の実施の形態４での回転コネクタの断面図である。
【図１６】この発明の実施の形態５での接続フレームを斜め下から見た斜視図である。
【図１７】この発明の実施の形態５での上部ケースを斜め下から見た斜視図である。
【図１８】この発明の実施の形態５での上部ケース本体部を上から見た平面図である。
【図１９】この発明の実施の形態５での回転コネクタの断面図である。
【図２０】この発明の実施の形態６での下部ケースの斜視図である。
【図２１】この発明の実施の形態６での上部ケースを斜め下から見た斜視図である。
【図２２】この発明の実施の形態６での回転コネクタの断面図である。
【符号の説明】
【００６５】
１  ：画像表示部
１Ａ：構造部材
２  ：操作部
２Ａ：構造部材
３  ：回転コネクタ
４Ａ：コネクタ穴
４Ｂ：コネクタ穴
５  ：下部ケース（第１部材）
５Ａ：下部ケース本体部
５Ｂ：下部ケース蓋
５Ｃ：溝    
５Ｄ：接続端子（第１部材側接続端子）
５Ｅ：下面溝
５Ｆ：接続線
５Ｇ：接続端子
５Ｈ：貫通穴
５Ｊ：横溝
５Ｋ：貫通穴
５Ｌ：接続端子
５Ｍ：接続線
５Ｎ：穴
５Ｐ：ネジ穴
５Ｑ：接続フレーム
５Ｒ：フレーム本体部
５Ｓ：フレーム鍔部
５Ｔ：フレーム穴
６  ：上部ケース（第２部材）
６Ａ：上部ケース本体部
６Ｂ：上部ケース蓋
６Ｃ：接続フレーム（突起）
６Ｄ：接続端子（第２部材側接続端子）
６Ｅ：上面溝
６Ｆ：接続線
６Ｇ：接続端子
６Ｈ：貫通穴
６Ｊ：分離防止用突起
６Ｌ：接続端子
６Ｍ：接続線
６Ｎ：接続線溝
６Ｐ：貫通穴
６Ｑ：軸穴
６Ｒ：フレーム本体部
６Ｓ：フレーム鍔部
６Ｔ：フレーム穴
７  ：ネジ
【図１】
2005327563.tif 000003
【図２】
2005327563.tif 000004
【図３】
2005327563.tif 000005
【図４】
2005327563.tif 000006
【図５】
2005327563.tif 000007
【図６】
2005327563.tif 000008
【図７】
2005327563.tif 000009
【図８】
2005327563.tif 000010
【図９】
2005327563.tif 000011
【図１０】
2005327563.tif 000012
【図１１】
2005327563.tif 000013
【図１２】
2005327563.tif 000014
【図１３】
2005327563.tif 000015
【図１４】
2005327563.tif 000016
【図１５】
2005327563.tif 000017
【図１６】
2005327563.tif 000018
【図１７】
2005327563.tif 000019
【図１８】
2005327563.tif 000020
【図１９】
2005327563.tif 000021
【図２０】
2005327563.tif 000022
【図２１】
2005327563.tif 000023
【図２２】
2005327563.tif 000024